(57)【要約】【課題】引き違い戸の外側引き戸に設ける室外錠体と引き違い戸の内側引き戸に設ける室内錠体とを有するタイプの引き違い戸用錠において、部品点数の少数化、各部品の簡易形状化、故障し難さ、製造コストの低コスト化などを達成することができるようにする。【解決手段】室外錠体にはシリンダ錠が上下２個設けられていると共に、各シリンダ錠に各別に鎌受け部１４が設けられており、室内錠体には鎌板駆動機構５５が上下２個設けられていると共に、これら各鎌板駆動機構５５に各別に鎌板が設けられ、尚且つ、上下２個の鎌板駆動機構５５を各独立して操作可能にするツマミが上下２個設けられている。【選択図】図１
2008138487.tif 000002
【特許請求の範囲】
【請求項１】
引き違い戸の外側引き戸（２）に設ける室外錠体（３）と引き違い戸の内側引き戸（４）に設ける室内錠体（５）とを有し、
上記室外錠体（３）には、外側引き戸（２）の室内側面（２ａ）を基準として常時没入状態に付勢された角軸（１６）を室外側からの特定の鍵（１７）の挿入及び回動操作で内側引き戸（４）へ向けて突出及び回動させるシリンダ錠（１３）と、室内錠体（５）から鎌板（２０）が突出されたときにこの鎌板（２０）を係合可能にする鎌受け部（１４）とが設けられており、
上記室内錠体（５）には、内側引き戸（４）の室外側面（４ａ）を基準とする没入状態と外側引き戸（２）へ向けた突出状態との間を上下揺動によって出没自在に保持された鎌板（２０）と、上記室外錠体（３）による角軸（１６）の突出及び回動を受けて上記鎌板（２０）を出没動作させる鎌板駆動機構（５５）と、この鎌板駆動機構（５５）を室内側から操作して鎌板（２０）を出没動作可能にするツマミ（５７）とが設けられており、
上記室外錠体（３）には、室外側から各独立して鍵（１７）の挿入及び回動操作が可能なシリンダ錠（１３）が上下２個設けられていると共に、各シリンダ錠（１３）に各別に近接配分される状態で上下鎌受け部（１４）が設けられており、
上記室内錠体（５）には、上記室外錠体（３）の上下２個のシリンダ錠（１３）によって各独立して動作可能なように上記鎌板駆動機構（５５）が上下２個設けられていると共に、上記室外錠体（３）の上下２個の鎌受け部（１４）に対応する配置で上記各鎌板駆動機構（５５）に各別に鎌板（２０）が設けられ、尚且つ、上下２個の鎌板駆動機構（５５）を各独立して操作可能にするツマミ（５７）が上下２個設けられていることを特徴とする引き違い戸用錠。
【請求項２】
前記室内錠体（５）には、上部の鎌板駆動機構（５５）及び鎌板（２０）、並びに下部の鎌板駆動機構（５５）及び鎌板（２０）をそれぞれ各別に収納するメカケース（６８）が設けられていることを特徴とする請求項１記載の引き違い戸用錠。
【請求項３】
前記室内錠体（５）には、上下２個の鎌板駆動機構（５５）及び上下２個の鎌板（２０）をひとまとめに収納するメカケース（６８）が設けられていることを特徴とする請求項１記載の引き違い戸用錠。
【請求項４】
前記室内錠体（５）において、上下２個の鎌板（２０）はそれらの上下揺動方向が相対逆向きに設けられていることを特徴とする請求項１乃至請求項３のいずれか１項に記載の引き違い戸用錠。
【請求項５】
前記室内錠体（５）には、上下２個のツマミ（５７）を室内側から覆う防犯カバー（９０）が着脱自在に付属されていることを特徴とする請求項１乃至請求項４のいずれか１項に記載の引き違い戸用錠。
【発明の詳細な説明】
【技術分野】
【０００１】
本発明は、引き違い戸の外側引き戸に設ける室外錠体と引き違い戸の内側引き戸に設ける室内錠体とを有するタイプの引き違い戸用錠に関するものである。
なお、引き違い戸は、建物の屋外と屋内とを仕切るように設けられる場合だけでなく、建物内の室外と室内とを仕切るように設けられる場合、或いは屋外において設けられる場合（仕切る両側が屋外の場合）や室内において設けられる場合（仕切る両側が室内の場合）など、種々様々な使い方ができる。本明細書では、これら全ての場合を対象とし得るものとし、そのうえで説明の便宜上、仕切る一方を「室外」、同他方を「室内」と言うものとする。
【背景技術】
【０００２】
引き違い戸用錠として、引き違い戸の外側引き戸に設ける室外錠体と引き違い戸の内側引き戸に設ける室内錠体とを有したタイプが知られている（例えば、特許文献１や２等参照）。
この種の引き違い戸用錠において、室外錠体には、外側引き戸の室内側面を基準として常時没入状態に付勢された角軸を室外側からの特定の鍵の挿入及び回動操作で内側引き戸へ向けて突出及び回動させるシリンダ錠と、室内錠体から鎌板が突出されたときにこの鎌板を係合可能にする鎌受け部とが設けられている。
【０００３】
また室内錠体には、内側引き戸の室外側面を基準とする没入状態と外側引き戸へ向けた突出状態との間を上下揺動によって出没自在に保持された鎌板と、上記室外錠体による角軸の突出及び回動を受けて上記鎌板を出没動作させる鎌板駆動機構と、この鎌板駆動機構を室内側から操作して鎌板を出没動作可能にするツマミとが設けられている。
最近では、防犯性を高めるうえで次のようになっている。
すなわち、室外錠体には、室外側から各独立して鍵の挿入及び回動操作が可能なシリンダ錠が上下２個設けられていると共に、各シリンダ錠に各別に近接配分される状態で鎌受け部が設けられており、室内錠体には、上記室外錠体の上下２個のシリンダ錠によって各独立して動作可能なように上記鎌板駆動機構が上下２個設けられていると共に、上記室外錠体の上下２個の鎌受け部に対応する配置で上記各鎌板駆動機構に各別に鎌板が設けられている。
【特許文献１】特開昭５７−１４３０７１号公報
【特許文献２】特開昭５９−４７７号公報
【発明の開示】
【発明が解決しようとする課題】
【０００４】
上記したように室外錠体に２個のシリンダ錠を設け、室外錠体に２個の鎌板を設ける構造を採用するときにあって、室内錠体に設けられたツマミが駆動の中継（伝動）をしてしまうと、１個のシリンダ錠を操作しただけで２個の鎌板が一緒に駆動してしまうことになるので不都合である。一方で、従来にあっては、ツマミを操作したときに２個の鎌板が一緒に出没動作（施錠や解錠の動作）をするのが好適と考えられていた。
これらの二律背反する要請を実現させるため、従来は鎌板駆動機構とツマミとの間に複雑な連動構造を採用せざるを得ず、このことが部品の多数化、各部品の複雑形状化、故障しやすさ、製造コストの高騰化などを招来する原因となっていた。
【０００５】
ところで最近では、マンションのドアなどにおいて室外側から室内側へ針金などを差し込んでサムターンを違法に解錠させる、所謂サムターン回し被害が多くなってきており、引き違い戸の場合でも、上記したツマミがサムターン回し被害の原因となることがあった。
本発明は、上記事情に鑑みてなされたものであって、引き違い戸の外側引き戸に設ける室外錠体と引き違い戸の内側引き戸に設ける室内錠体とを有するタイプの引き違い戸用錠において、部品点数の少数化、各部品の簡易形状化、故障し難さ、製造コストの低コスト化などを達成することができる引き違い戸用錠を提供することを目的とする。
【０００６】
また本発明は、ツマミを対象とした所謂サムターン回し被害に対しての防犯性を一層高められるようにした引き違い戸用錠を提供することを目的とする。
【課題を解決するための手段】
【０００７】
前記目的を達成するために、本発明は次の手段を講じた。
即ち、本発明に係る引き違い戸用錠は、引き違い戸の外側引き戸に設ける室外錠体と引き違い戸の内側引き戸に設ける室内錠体とを有したものであって、上記室外錠体には、外側引き戸の室内側面を基準として常時没入状態に付勢された角軸を室外側からの特定の鍵の挿入及び回動操作で内側引き戸へ向けて突出及び回動させるシリンダ錠と、室内錠体から鎌板が突出されたときにこの鎌板を係合可能にする鎌受け部とが設けられており、上記室内錠体には、内側引き戸の室外側面を基準とする没入状態と外側引き戸へ向けた突出状態との間を上下揺動によって出没自在に保持された鎌板と、上記室外錠体による角軸の突出及び回動を受けて上記鎌板を出没動作させる鎌板駆動機構と、この鎌板駆動機構を室内側から操作して鎌板を出没動作可能にするツマミとが設けられている。
【０００８】
また、上記室外錠体には、室外側から各独立して鍵の挿入及び回動操作が可能なシリンダ錠が上下２個設けられていると共に、各シリンダ錠に各別に近接配分される状態で鎌受け部が設けられている。
更に、上記室内錠体には、上記室外錠体の上下２個のシリンダ錠によって各独立して動作可能なように上記鎌板駆動機構が上下２個設けられていると共に、上記室外錠体の上下２個の鎌受け部に対応する配置で上記各鎌板駆動機構に各別に鎌板が設けられ、尚且つ、上下２個の鎌板駆動機構を各独立して操作可能にするツマミが上下２個設けられている。
【０００９】
このような構成であるため、室外から施錠及び解錠するためには、上下２個のシリンダ錠を操作する必要があり、室内から施錠及び解錠するためにも、上下２個のツマミを操作する必要がある。そのため、室外錠体に対する防犯性はもとより、室内錠体に対する防犯性（サムターン回し被害等に対抗するもの）にも有効となる。
室内錠体には、上部の鎌板駆動機構及び鎌板、並びに下部の鎌板駆動機構及び鎌板を、それぞれ各別に収納するメカケースが設けられたものとすることができる。このような構造にすることで、鎌板駆動機構及び鎌板をメカケースへ収納させたユニットとして同じタイプを数多く製作しておけば、それらの上下向きを相対逆にして組み合わせつつ内長座と裏板で挟持させるようにするだけで、室内錠体を構成できることになる。そのため製作コストの低廉化が図れる。
【００１０】
室内錠体には、上下２個の鎌板駆動機構及び上下２個の鎌板をひとまとめに収納するメカケースが設けられたものとすることもできる。このような構造にすることで、構造の簡潔化が図れ、一層の低コスト化が図れる。
室内錠体において、上下２個の鎌板はそれらの上下揺動方向が相対逆向きに設けるのが好適である。
このようにすると、上下２個の鎌板と室外錠体に設けられる鎌受け部との係合関係が上下逆向きとなる。そのため、鎌板と鎌受け部とを上方又は下方へ動かすようなことをすることで一方の鎌板と鎌受け部との係合を解いたとしても、他方の鎌板と鎌受け部との係合は益々その係合を強めるようになる。従って、鎌板と鎌受け部とを上方又は下方へ動かすようなことで錠破りをしようとする行為に対して、防犯性が脅かされることは決してない。
【００１１】
室内錠体には、上下２個のツマミを室内側から覆う防犯カバーが着脱自在に付属されているものとするのが好適である。
このようにすることで、サムターン回し被害等に対する防犯性を一層高めることができる。
【発明の効果】
【００１２】
本発明に係る引き違い戸用錠では、部品点数の少数化、各部品の簡易形状化、故障し難さ、製造コストの低コスト化などを達成することができる。また、ツマミを対象とした所謂サムターン回し被害に対しての防犯性が一層高められるようになっている。
【発明を実施するための最良の形態】
【００１３】
以下、本発明の実施の形態を、図面に基づき説明する。
図１乃至図６は、本発明に係る引違い戸用錠１の第１実施形態を示している。この引き違い戸用錠１は、引き違い戸を構成するうちの外側引き戸２に対して設けられる室外錠体３と、引き違い戸を構成するうちの内側引き戸４に対して設けられる室内錠体５とを有している。
これら室外錠体３及び室内錠体５は、外側引き戸２と内側引き戸４とをそれぞれ閉め位置へ位置付けたときに両戸の重なる框部分で相対向して位置付けられることは言うまでもない。
【００１４】
図１及び図２に示すように、室外錠体３は、外側引き戸２を外長座１０と裏板１１とで挟持した状態で、これらを取付けネジ１２で締付けることにより、外側引き戸２に固定される。この室外錠体３には、上下２個のシリンダ錠１３と、上下２個の鎌受け部１４とが設けられている。
シリンダ錠１３は、外側引き戸２の室内側面２ａを基準として常時没入状態に付勢された角軸１６を、室外側からの特定の鍵１７の挿入及び回動操作で内側引き戸４へ向けて突出及び回動させるものである。上下それぞれのシリンダ錠１３は、室外側から各独立して鍵１７の挿入及び回動操作が可能になっている。
【００１５】
鎌受け部１４は、室内錠体５から後述の鎌板２０が突出されたときに、この鎌板２０を係合可能にするものである。上下の鎌受け部１４は、それぞれ、上下の各シリンダ錠１３に各別に近接配分されている。
シリンダ錠１３は、円筒形をしたシリンダ装置部２５と、このシリンダ装置部２５の外周面で片側へ板片状に張り出す状態に併設された長方形ブロック状をしたタンブラー装置部２６と、これら両装置部２５，２６を外側引き戸２の肉厚方向に沿って摺動自在に保持するハウジングケース部２７とを有している。シリンダ装置部２５の室外側を向く端部に、鍵１７を差し込むための鍵差し部２８が設けられている。
【００１６】
ハウジングケース部２７は、外長座１０自体に室内側へ向けて開口する状態で一体形成された凹部２９と、この凹部２９を室内側へ向けて延長形成できるように外長座１０の内面側にネジ３０によって止め付けられるケース枠３１との合体として形成される。なお、外長座１０には、シリンダ錠１３の鍵差し部２８を嵌合可能にする丸孔３２が形成されている。
シリンダ錠１３において、シリンダ装置部２５は円筒形をした本体内で内筒部３５が回動自在に保持され、この内筒部３５から更に室内側へ向けて突出するようにして上記した角軸１６が設けられている。またこのシリンダ装置部２５に対し、タンブラー装置部２６は、鍵差し部２８へ所定の鍵１７を差し込まない限り、外筒部３４内での内筒部３５の回動を許容させないような装置構成となっている。すなわち、これらシリンダ装置部２５とタンブラー装置部２６との組み合わせ、及びこれらと鍵１７との関係において、シリンダ錠１３としての鍵１７との一致性（防犯性）が支配されることになる。
【００１７】
角軸１６は、ハウジングケース部２７内でシリンダ装置部２５及びタンブラー装置２６を押し込んだときに、その軸先端部が室外錠体３から室内側へ向けて突出するようになっている。この突出状態とされたときに、後述する室内錠体５のピニオン６０（角孔６４）へ係合するようになる。
そのためこの角軸１６としては、外側引き戸２が分厚い場合にもピニオン６０と係合させられるように、内筒部３５の先端寄りを径方向へ貫通して刺し通される係止ピン３６で串刺し状に止め付けられる構造として、必要に応じて内筒部３５に着脱できるようになっている。また、角軸１６には長さの異なるものが複数種準備されているものとする。
【００１８】
ハウジングケース部２７のケース枠３１には、タンブラー装置部２６の室内側の端部に対向するようにケース底３７が設けられており、これらタンブラー装置部２６とケース底３７との間にバネ３８が介設されている。
そのため、ハウジングケース部２７内でシリンダ装置部２５及びタンブラー装置２６を押し込んだとき、その後、この押し込み力を解除すればシリンダ装置部２５及びタンブラー装置２６は元位置へ復帰するようになっている。
裏板１１には、シリンダ錠１３の角軸１６が室内錠体５へ向けて突出するときに、この角軸１６を通過させるための軸通孔３９が形成されている。また、この軸通孔３９の近傍には鎌受け部１４としての角孔が形成されている。この鎌受け部１４（角孔の開口縁部）に対して、室内錠体５に設けた鎌板２０のフック部分が係合可能となっている。
【００１９】
一方、室内錠体５（図３も併せて参照のこと）は、内側引き戸４を内長座５０と裏板５１とで挟持した状態で、これらを取付けネジ５２で締付けることにより、内側引き戸４に固定される。この室内錠体５には、上下２個の鎌板駆動機構５５と、上下２個の鎌板２０とが設けられている。
鎌板２０はその先端部がフック形に形成されたもので、このフック部分が内側引き戸４の室外側面４ａを基準とする没入状態と外側引き戸２へ向けた突出状態とになるように、両状態間を上下揺動によって出没自在に保持されている。
【００２０】
鎌板駆動機構５５は、室外錠体３のシリンダ錠１３において角軸１６が突出及び回動されたときに、この動きを受けて鎌板２０に上記の出没動作をさせるようになったものである。
なお、上下２個の鎌板２０は、先端部のフック部分が上下逆向きに配置されており、従って各鎌板駆動機構５５による各鎌板２０の上下揺動方向も相対逆向きとなっている。図例では、上下２個の鎌板２０が共に突出状態とされたときに、上部の鎌板２０はフック部分が上方を向き、下部の鎌板２０はフック部分が下方を向くようになっている。
【００２１】
上部の鎌板駆動機構５５は、室外錠体３に設けられた上部のシリンダ錠１３によって独立して動作可能であり、この独立動作で上部の鎌板２０を出没動作させる。また下部の鎌板駆動機構５５は、室外錠体３に設けられた下部のシリンダ錠１３によって独立して動作可能であり、この独立動作で下部の鎌板２０を出没動作させる。要するに、シリンダ錠１３、鎌板駆動機構５５、鎌板２０は、上部配置になるもの同士、或いは下部配置になるもの同士がそれぞれ各独立したグループを形成して、互いに何ら影響されることのない各別個の連動関係を有するものとなっている。
【００２２】
またこの室内錠体５には上下２個のツマミ５７が設けられている。これら上下のツマミ５７も、上部のもの、及び下部のものが、それぞれ上部グループの鎌板駆動機構５５や下部グループの鎌板駆動機構５５と各別個に連動するようになっており、鎌板駆動機構５５を室内側から操作して鎌板２０を出没動作可能にするためのものである。
上記鎌板駆動機構５５は、裏板５１の内面側に設けられたピニオン６０と、このピニオン６０の回転で上下動するように内長座５０と裏板５１との間に設けられるスライダー６２と、このスライダー６２の上下動を鎌板２０の揺動力として変換するカム機構６３とを有している。
【００２３】
ピニオン６０は、その回転軸心を室外錠体３に設けられたシリンダ錠１３の角軸１６と同軸とさせる配置で設けられている。そしてこのピニオン６０の軸心部には、シリンダ錠１３の角軸１６が突出されたときにその先端とガタツキ無く係合可能となるように角孔６４が形成されている。角軸１６と角孔６４とがガタツキ無く係合した状態では、言うまでもなく、角軸１６とピニオン６０とは一体回転可能となる。
スライダー６２は、裏板５１側を開口させ内長座５０側を連結させる向きで断面コ字状の縦長箱形状に形成されており、裏板５１側の開口部分内でピニオン６０を挟持するようになっている。そして、この挟持部分の少なくとも一方の側壁部はピニオン６０と当接する位置関係に保持されており、この当接部分に、ピニオン６０と噛合可能となるラック用孔６５が上下方向に複数並んで形成されている。
【００２４】
鎌板２０は、スライダー６２内で、そのコ字状断面の内側を横断するように架設された支持軸６６を中心として回動自在に設けられている。またスライダー６２内には、この支持軸６６と平行する状態で他にもう１本の連動軸６７が架設されている。これら支持軸６６や連動軸６７は、いずれもその両端部が、スライダー６２のまわりを取り囲むように設けられたメカケース６８に対して固定されている。
なお、このメカケース６８は、内長座５０側を開口させ裏板５１側を連結させる向きで断面コ字状の縦長箱形状に形成されており、上部の鎌板駆動機構５５及び鎌板２０と、下部の鎌板駆動機構５５及び鎌板２０とを、それぞれ各別に収納するように、別々に設けられている。
【００２５】
鎌板２０には、連動軸６７が刺し通される位置付けで軸通孔７０が貫設されている。これに対し、スライダー６２の側壁部も連動軸６７の両端部が刺し通される位置付けで軸通孔７１が貫設されている。このスライダー６２に設けられた軸通孔７１は、長手方向を上下に向けた長孔として形成されている。
このようなことから、ピニオン６０が回転されたとき、このピニオン６０に噛合するラック用孔６５が上方又は下方へ送られ、もってスライダー６２が上下動するようになると、スライダー６２に設けられた軸通孔７１の長さを超えるスライド量となったときに連動軸６７がスライダー６２の移動方向に押され、これに伴って鎌板２０が支持軸６６を中心として上方又は下方へ揺動するようになる。
【００２６】
このような軸通孔７０、連動軸６７、及び軸通孔７１の相関的な係合状態によりカム機構６３が構成されていることになる。
なお、鎌板２０に設けられた軸通孔７０は「へ」字状に折曲した長孔として形成されており、鎌板２０には、２本のバネ脚が「ハ」字状に広がるねじりコイルバネ７２が組み込まれて、軸通孔７０の折曲部分奥方へ連動軸６７を押し付けるようにバネ力が発生するようにしてある。
そのため、鎌板２０が外側引き戸２へ向けた突出状態（施錠状態）にあるとき、連動軸６７は軸通孔７０の折曲部分奥方へ追い込まれた状態を維持するようになるので、万が一、外側引き戸２と内側引き戸４との間から差し入れた針金等によって鎌板２０を不正に回動させようとすること（ピッキング）がなされたとしても、鎌板２０の回動を阻止することができる。即ち、ピッキング被害を防ぐことができる。
【００２７】
内長座５０の内側には、長手方向を上下に向けた凹溝状のガイドレール部７４が設けられ、このガイドレール部７４内に、上記したツマミ５７を保持するためのツマミ基板７５が上下動自在に嵌められている。このツマミ基板７５から室内側へ突出する状態でツマミ芯部７６が設けられ、このツマミ芯部７６に塩化ビニル等によって形成されたキャップ７７が被着されることでツマミ５７が形成されている。
ツマミ基板７５には裏板４へ向けて突出する連動突起７８が設けられている。この連動突起７８は、スライダー６２において内長座５０側の連結面部に設けられた突起受け孔７９に係合されている。従って、スライダー６２とツマミ基板７５とは連動して上下動する。
【００２８】
なお、ガイドレール部７４には、ツマミ基板７５の内面へ抵抗突起を押し付けるようにした板バネ８１が組み込まれており、そのためツマミ５７を上下動させるための操作を止めれば、ツマミ５７はその位置で停止する程度の摩擦力を生じつつ、上下動するようになっている。
またツマミ基板７５は、鎌板２０を没入状態とさせたときのスライダー６２の位置付け（即ち、ツマミ基板７５の位置付け）を保持できるように、このときに板バネ８１の抵抗突起と適度な係合が可能となっている。従ってツマミ５７を操作するに際しては、この板バネ８１の抵抗突起を乗り越えるよう、意欲的に操作することになり、このとき操作者には操作の手応えを知る快適なクリック感が得られて好都合となる。
【００２９】
内長座５０と裏板５１とを締付ける取付けネジ５２のうち、最も上位の取付けネジ５２が裏板５１に螺合される雌ネジ部分は、室外側へ貫通した貫通孔８５として形成されている。図４に示すように、この貫通孔８５は内長座５０のネジ挿通孔８６から位置決め用ピン工具８７を室外錠体３へ向けて挿入可能とするものである。
これに対応させるように室外錠体３の裏板１１には、位置決め用ピン工具８７をガタツキなく挿通可能にするピン受孔８８が形成されている。このピン受孔８８は、シリンダ錠１３の角軸１６が室内錠体５のピニオン６０（角孔６４）へ係合する位置付けとされたときに、丁度、室内錠体５の貫通孔８５と合致するようになっている。このようなことから室外錠体３と室内錠体５との高さ設定が容易に行えるようになっている。
【００３０】
図５及び図６に示すように、室内錠体５には、上下のツマミ５７を室内側から覆うようにして防犯カバー９０が着脱自在に付属されている。この防犯カバー９０は、例えば上下両側にフック９１を突設させておき、内長座５０にはフック９１と係合可能となるフック受け孔９２を設けておくことで、内長座５０へ保持させるようにすればよい。
一例として、防犯カバー９０の内部に磁石９５を設けておくと共に、内側引き戸２又は引き戸枠の適所に金具９６を両面テープや木ねじ等で取り付けておくようにすれば、この防犯カバー９０はその不使用時に金具９６へ保持させることができ、邪魔にならず且つ紛失しない利便性がある。
【００３１】
以上、詳説したような構成を具備する本発明に係る引違い戸用錠１では、室外から施錠及び解錠するためには、上下２個のシリンダ錠１３を操作する必要があり、室内から施錠及び解錠するためにも、上下２個のツマミ５７を操作する必要がある。そのため、室外錠体３に対する防犯性はもとより、室内錠体５に対する防犯性（サムターン回し被害等に対抗するもの）にも有効となる。
上下２個の鎌板２０と室外錠体３に設けられる鎌受け部１４との係合関係が上下逆向きとなっているため、鎌板２０と鎌受け部１４とを上方又は下方へ動かすようなことをすることで一方の鎌板２０と鎌受け部１４との係合を無理矢理解いたとしても、他方の鎌板２０と鎌受け部１４との係合は益々その係合を強めるようになる。
【００３２】
従って、鎌板２０と鎌受け部１４とを上方又は下方へ動かすようなことで錠破りをしようとする行為に対して、防犯性が脅かされることは決してない。このようなことから、サムターン回し被害等に対する防犯性は一層高められている。
更に、室内錠体５のツマミ５７を防犯カバー９０で覆っておけば、万が一、外側引き戸２と内側引き戸４との間から針金等を差し入れられるようなことになったところで、ツマミ５７を不正に操作することはできず、サムターン回し被害等に対する防犯性は確実なものとなる。
【００３３】
なお、室内錠体５において、上記したようにメカケース６８は、上部の鎌板駆動機構５５及び鎌板２０と、下部の鎌板駆動機構５５及び鎌板２０とを、それぞれ各別に収納するものとなっている。そのため、鎌板駆動機構５５及び鎌板２０をメカケース６８へ収納させたユニットとして同じタイプを数多く製作しておけば、それらの上下向きを相対逆にして組み合わせつつ内長座５０と裏板５１で挟持させるようにするだけで、室内錠体５を構成できることになる。そのため製作コストの低廉化が図れる。
のみならず、図７に示すような第２実施形態の引違い戸用錠１を構成させることも簡単に行える。すなわち、この第２実施形態の引き違い戸用錠１は、上下２個の鎌板２０が共に突出状態とされたときに、上部の鎌板２０はフック部分が下方を向き、下部の鎌板２０はフック部分が上方を向くようになっている。
【００３４】
図８は、本発明に係る引違い戸用錠１の第３実施形態を示している。この第３実施形態の引き違い戸用錠１は、上下２個の鎌板駆動機構５５及び上下２個の鎌板２０が、一つのメカケース６８によってひとまとめに収納されている。
このような構成であることから、メカケース６８として部品点数の少数化が図れ、計量化や低コスト化が図れる利点がある。また、室内錠体５をその上下方向でコンパクト化できることに繋がり、同様に室外錠体３のコンパクト化も図れることから、引き違い戸用錠１の全体としてコンパクト化ができ、取付ネジ１２，５２の少数化にも有益となる利点がある。
【００３５】
ところで、本発明は、上記各実施形態に限定されるものではなく、実施の形態に応じて適宜変更可能である。
【図面の簡単な説明】
【００３６】
【図１】本発明に係る引き違い戸用錠の第１実施形態を示したものであって（Ａ）は室外錠体の側断面図であり、（Ｂ）は室内錠体の側断面図である。
【図２】第１実施形態の引き違い戸用錠における施錠の様子を示した側断面図である。
【図３】第１実施形態の引き違い戸用錠における室内錠体を示した斜視図である。
【図４】第１実施形態の引き違い戸用錠において室外錠体と室内錠体とを位置合わせする様子を示した要部側断面図である。
【図５】第１実施形態の引き違い戸用錠において室内錠体に防犯カバーを取り付けた様子を示した側断面図である。
【図６】防犯カバーをその内側から示した斜視図である。
【図７】本発明に係る引き違い戸用錠の第２実施形態を示したものであって（Ａ）は室外錠体の側断面図であり、（Ｂ）は室内錠体の側断面図である。
【図８】本発明に係る引き違い戸用錠の第３実施形態を示したものであって（Ａ）は室外錠体の側断面図であり、（Ｂ）は室内錠体の側断面図である。
【符号の説明】
【００３７】
１  引き違い戸用錠
２  外側引き戸
２ａ  室内側面
３  室外錠体
４  内側引き戸
４ａ  室外側面
５  室内錠体
１３  シリンダ錠
１４  鎌受け部
１６  角軸
１７  鍵
２０  鎌板
５５  鎌板駆動機構
５７  ツマミ
６８  メカケース
９０  防犯カバー
【図１】
2008138487.tif 000003
【図２】
2008138487.tif 000004
【図３】
2008138487.tif 000005
【図４】
2008138487.tif 000006
【図５】
2008138487.tif 000007
【図６】
2008138487.tif 000008
【図７】
2008138487.tif 000009
【図８】
2008138487.tif 000010